(57)【要約】      （修正有）【課題】簡単な構成で、ストランドのローラ等への巻き込みによる作業効率の低下を防止することができ、ストランドに所定量の表面処理剤を均一に塗布することができ、ＦＲＰ成形体等に加工した場合に品質の低下を招かないストランドの表面処理剤塗布装置を提供する。【解決手段】走行する複数のストランド（糸条Ｇ）に表面処理剤Ｓを塗布する表面処理剤塗布装置１００であって、表面処理剤Ｓが浸み込んだ吸水性部材２と少なくとも一部のストランド（糸条Ｇ）とを接触させ、吸水性部材２と接触したストランド（糸条Ｇ）の表面の少なくとも一部に表面処理剤Ｓを塗布する。ストランド（糸条Ｇ）の走行方向に直交する方向視で吸水性部材２におけるストランド（糸条Ｇ）との接触面が、ストランド（糸条Ｇ）側に凸となる湾曲面又は屈曲面に形成されている。【選択図】図３
2014058436.tif 000002
【特許請求の範囲】
【請求項１】
走行する複数のストランドに表面処理剤を塗布する表面処理剤塗布装置であって、
前記表面処理剤が浸み込んだ吸水性部材と少なくとも一部のストランドとを接触させ、前記吸水性部材と接触したストランドの表面の少なくとも一部に前記表面処理剤を塗布する表面処理剤塗布装置。
【請求項２】
前記ストランドの走行方向に直交する方向視で前記吸水性部材における前記ストランドとの接触面が、前記ストランド側に凸となる湾曲面又は屈曲面に形成されている請求項１に記載の表面処理剤塗布装置。
【請求項３】
水平方向視で前記吸水性部材が逆Ｕ字状又は逆Ｖ字状に形成され、前記吸水性部材の頂部と前記ストランドとを接触させ、前記吸水性部材の両脚部に前記表面処理剤を浸み込ませる請求項１又は２に記載の表面処理剤塗布装置。
【請求項４】
前記吸水性部材及び前記ストランドの一方を前記吸水性部材及び前記ストランドの他方に押し付ける押し付け手段を備えてある請求項１〜３の何れか一項に記載の表面処理剤塗布装置。
【請求項５】
前記表面処理剤を入れた容器の液面から所定距離離れた上方箇所を走行する前記ストランドに対して、前記容器の液面に下部を浸した前記吸水性部材の上部を前記ストランドに接触させる請求項１〜４の何れか一項に記載の表面処理剤塗布装置。
【請求項６】
前記吸水性部材はフェルトである請求項１〜５の何れか一項に記載の表面処理剤塗布装置。
【請求項７】
前記フェルトが、厚みが５〜３０ｍｍの帯状に形成されている請求項６に記載の表面処理剤塗布装置。
【請求項８】
走行する複数のストランドに表面処理剤を塗布する表面処理剤塗布方法であって、
前記表面処理剤が浸み込んだ吸水性部材と少なくとも一部のストランドとを接触させ、前記吸水性部材と接触したストランドの表面の少なくとも一部に前記表面処理剤を塗布する表面処理剤塗布方法。
【請求項９】
少なくとも一部の表面に前記表面処理剤を塗布した複数のストランドを合糸してなるガラスロービング。
【請求項１０】
少なくとも一部の表面に前記表面処理剤を塗布したストランドと、
前記表面処理剤を塗布していないストランドと、
を合糸してなるガラスロービング。
【請求項１１】
前記表面処理剤を塗布したストランドを５〜５０％含有する請求項１０に記載のガラスロービング。
【発明の詳細な説明】
【技術分野】
【０００１】
本発明は、走行する複数のストランドに表面処理剤を塗布する表面処理剤塗布装置及び表面処理剤塗布方法、並びにガラスロービングに関する。
【背景技術】
【０００２】
プリント配線板、ガラス繊維強化プラスチック（ＦＲＰ、ＦＲＴＰ）等の工業製品の原材料として使用されるガラス繊維は、紡糸工程において、溶融ガラスを紡糸することによって得られる直径が数μｍ〜数十μｍのガラス繊維モノフィラメントを、集束剤等の表面処理剤を塗布して数十本から数千本のガラス繊維束（ストランド）として集束し、これを一旦ドラムに巻き取って乾燥し、ケーキと呼ばれる状態に加工する。その後、例えば、ケーキからストランドを巻き戻し、このストランドに撚りをかけたガラスヤーンの形態や、ストランドを所定の長さに切断したガラスチョップドストランドの形態や、ガラスチョップドストランドをマット状にしたガラスチョップドストランドマットの形態や、ストランドをさらに複数本引揃えて合糸したガラスロービングの形態等に加工して製品として出荷される。
【０００３】
ストランドを巻き戻し、撚糸、切断、引揃え等の加工処理を行う場合、上述した集束剤だけでは静電気が発生し、ストランドを加工して製品を製造する際の障害となることがある。例えば、ガラス繊維束を所定の長さに切断してガラスチョップドストランドを製造する場合、カッターでストランドを切断する際の摩擦により静電気が発生し、カッターに切断物が付着して短時間で切断性能が低下したり、ガラスチョップドストランドマットを製造する際に、ガラスチョップドストランドの均一分散や、ガラスチョップドストランドの所定容量が得られない等の欠陥となることがある。また、ガラスロービングの形態等に二次加工して製品として出荷した場合には、顧客先等において切断等の加工処理が行われるときに、上記と同様に静電気の発生が問題となる。そのため、ケーキからストランドを巻き戻し、ストランドの二次加工処理を行うまでの間に、表面処理剤を再度塗布することが行われている。
【０００４】
これに関連する技術として、例えば、特許文献１には、箱型含浸槽中の複数の含浸ローラ間に上方より下方に向けて長繊維束を交互に通し、最下部の折り返しローラにより折り返して、再び含浸ローラに下方より上方に向けて通すようにして長繊維束に液体状の処理剤を含浸させる液体含浸装置が開示されている。
【０００５】
また、従来技術としては開示されていないが、ストランドに対して表面処理剤を塗布する技術として、例えば、噴霧器等を用いてストランドに表面処理剤を噴霧する技術や、ローラ等を用いて表面処理剤を容器等からすくい上げながらストランドに表面処理剤を塗布する技術も開発され始めている。
【先行技術文献】
【特許文献】
【０００６】
【特許文献１】特開昭６１−６３６４号公報
【発明の概要】
【発明が解決しようとする課題】
【０００７】
上述したストランドの加工処理を行う場合、所定のケーキや製品の製造が完了すると、作業を一時的に中断してケーキや製品を回収した後、再度作業を再開して新たなケーキや製品を製造する。ストランドの加工処理ではこの作業を繰り返すため、ストランドは走行及び停止を繰り返すことになる。このようにストランドが走行及び停止を繰り返すと、上述した特許文献１に記載の技術やローラ等を用いて表面処理剤を塗布する技術では、ローラが慣性により回転する等して、ストランドがローラに巻き込まれることがあり、巻き込まれたストランドを元の状態に復旧させる作業等が新たに生じて、ストランドの加工処理における作業効率が低下するという問題があった。
【０００８】
また、上述した噴霧器等を用いてストランドに対して表面処理剤を噴霧する技術や、ローラ等を用いて表面処理剤を塗布する技術では、噴霧する表面処理剤の量の調整やローラによりすくい上げる表面処理剤の量の調整が難しく、塗布対象のストランドに所定量の表面処理剤を均一に塗布することが困難であるといった問題があった。また、上述した表面処理剤の量の調整を行うための機器を整備したり、噴霧された表面処理剤やローラによりすくい上げた表面処理剤が周囲の機器に飛散しないように装置設計を行ったりの対応をとる等の必要があり、装置自体の構造が複雑なものとなり、ひいてはコストアップにもつながるといった問題があった。
【０００９】
さらに、ストランドに表面処理剤が必要以上に塗布されると、表面処理剤の乾燥に時間を要するだけでなく、ストランドをＦＲＰ成形体に加工した場合に過剰量の表面処理剤がストランド表面でダマ状となり、ＦＲＰ成形体の表面に欠点を生じさせたり、耐煮沸性等の特性を低下させる虞もある。従って、ストランド本来の特性が損なわれないガラスロービングを得るためには、ストランドに対する表面処理剤の使用量を適量にする（好ましくは、できる限り少なくする）ことが望まれる。
【００１０】
本発明は、上記問題点に鑑みてなされたものであり、簡単な構成で、ストランドのローラ等への巻き込みによる作業効率の低下を防止することができ、ストランドに所定量の表面処理剤を均一に塗布することができ、ＦＲＰ成形体等に加工した場合に品質の低下を招くことのないストランドの表面処理剤塗布装置及び表面処理剤塗布方法を提供することを目的とする。さらに、表面処理剤が適量に塗布されたストランドを用いたガラスロービングを提供することを目的とする。
【課題を解決するための手段】
【００１１】
上記課題を解決するための本発明に係る表面処理剤塗布装置の特徴構成は、
走行する複数のストランドに表面処理剤を塗布する表面処理剤塗布装置であって、
前記表面処理剤が浸み込んだ吸水性部材と少なくとも一部のストランドとを接触させ、前記吸水性部材と接触したストランドの表面の少なくとも一部に前記表面処理剤を塗布することにある。
【００１２】
本構成の表面処理剤塗布装置では、ストランド加工時においてストランドが走行及び停止を繰り返したとしても、表面処理剤を浸み込ませた吸水性部材にストランドを接触させるという構成であるため、ストランドがローラ等に巻き込まれることがない。ここで、ストランドは複数束ねた状態で表面処理剤が塗布されるが、表面処理剤が過剰に塗布されないことが重要となる。吸水性部材は、表面処理剤をその内部に一定量保持することができるため、吸水性部材からストランドの表面に過剰な表面処理剤を塗布することはなく、所定量の表面処理剤をストランドの表面又は表面の少なくとも一部に均一に塗布することができる。表面処理剤が適量塗布されたストランド（ガラスロービング）は、ＦＲＰ成形体等の加工に適したものとなる。さらに、上述した利点を有する表面処理剤塗布装置は、吸水性部材と少なくとも一部のストランドとを接触させるという簡単な構成で実現することができ、表面処理剤塗布装置自体の製造コスト削減及び当該塗布装置を用いた製品の製造コスト削減を図ることができる。
【００１３】
したがって、本構成の表面処理剤塗布装置は、簡単な構成で、ストランドのローラ等への巻き込みによる作業効率の低下を防止することができ、ストランドに所定量の表面処理剤を均一に塗布することができる。
【００１４】
本発明に係る表面処理剤塗布装置において、
前記ストランドの走行方向に直交する方向視で前記吸水性部材における前記ストランドとの接触面が、前記ストランド側に凸となる湾曲面又は屈曲面に形成されていることが好ましい。
【００１５】
本構成の表面処理剤塗布装置は、ストランドの走行方向に直交する方向視で吸水性部材におけるストランドとの接触面が、当該ストランド側に凸となる湾曲面又は屈曲面に形成されていることから、吸水性部材とストランドとが接触する接触面積を小さくすることができ、余分な表面処理剤のストランドへの塗布をさらに効果的に防ぐことができる。
【００１６】
本発明に係る表面処理剤塗布装置において、
水平方向視で前記吸水性部材が逆Ｕ字状又は逆Ｖ字状に形成され、前記吸水性部材の頂部と前記ストランドとを接触させ、前記吸水性部材の両脚部に前記表面処理剤を浸み込ませてあることが好ましい。
【００１７】
本構成の表面処理剤塗布装置は、吸水性部材が逆Ｕ字状又は逆Ｖ字状に形成され、吸水性部材の両脚部に表面処理剤を浸み込ませてあることから、例えば吸水性部材の両脚部のうちの一方の脚部が液面から離れたり損傷したりする等して、吸水性部材の一方の脚部に表面処理剤が供給されなくなったとしても、吸水性部材の他方の脚部から表面処理剤を吸水性部材の頂部に供給することができる。これにより、ストランドの表面に確実に表面処理剤を塗布することができる。
【００１８】
本発明に係る表面処理剤塗布装置において、
前記吸水性部材及び前記ストランドの一方を前記吸水性部材及び前記ストランドの他方に押し付ける押し付け手段を備えてあることが好ましい。
【００１９】
本構成の表面処理剤塗布装置は、吸水性部材とストランドとが押し付け手段により押し付けられていることから、吸水性部材及びストランドの一方を他方に押し付けながら、ストランドの表面に表面処理剤を確実に塗布することができる。
【００２０】
本発明に係る表面処理剤塗布装置において、
前記表面処理剤を入れた容器の液面から所定距離離れた上方箇所を走行する前記ストランドに対して、前記容器の液面に下部を浸した前記吸水性部材の上部を前記ストランドに接触させることが好ましい。
【００２１】
本構成の表面処理剤塗布装置は、容器の液面に下部を浸した吸水性部材の上部をストランドに接触させることから、容器の液面とストランドとの高低差及び吸水性部材の性質を有効に活用して、吸水性部材の下部から上部に適度な量の表面処理剤を吸い上げてストランドに適度な量の表面処理剤を塗布することができる。
【００２２】
本発明に係る表面処理剤塗布装置において、
前記吸水性部材はフェルトであることが好ましい。
【００２３】
本構成の表面処理剤塗布装置は、吸水性部材がフェルトであることから、表面処理剤を十分に吸収することができ、さらに、フェルトの柔軟性により吸水性部材とストランドの表面とを密着させることができるため、ストランドの表面に表面処理剤を確実に且つ均一に塗布することができる。
【００２４】
本発明に係る表面処理剤塗布装置において、
前記フェルトが、厚みが５〜３０ｍｍの帯状に形成されていることが好ましい。
【００２５】
本構成の表面処理剤塗布装置は、フェルトの厚みが５〜３０ｍｍの帯状に形成されており、フェルトの厚みが大き過ぎないことから適切な量の表面処理剤をフェルト全体に保持させることができるため、所定量の表面処理剤をストランドに塗布することができる。さらに、フェルトの厚みが小さ過ぎないことからフェルトの柔軟性が十分に保たれるため、フェルトとストランドの表面とを十分に密着させることができ、ストランドの表面に表面処理剤を均一に塗布することができる。
【００２６】
上記課題を解決するための本発明に係る表面処理剤塗布方法の特徴構成は、
走行する複数のストランドに表面処理剤を塗布する表面処理剤塗布方法であって、
前記表面処理剤が浸み込んだ吸水性部材と少なくとも一部のストランドとを接触させ、前記吸水性部材と接触したストランドの表面の少なくとも一部に前記表面処理剤を塗布することにある。
【００２７】
本構成の表面処理剤塗布方法では、ストランド加工時においてストランドが走行及び停止を繰り返したとしても、表面処理剤を浸み込ませた吸水性部材にストランドを接触させるという工程を行うため、ストランドがローラ等に巻き込まれることがない。ここで、ストランドは複数束ねた状態で表面処理剤が塗布されるが、表面処理剤が過剰に塗布されないことが重要となる。吸水性部材は、表面処理剤をその内部に一定量保持することができるため、吸水性部材からストランドの表面に過剰な表面処理剤を塗布することはなく、所定量の表面処理剤をストランドの表面又は表面の少なくとも一部に均一に塗布することができる。表面処理剤が適量塗布されたストランド（ガラスロービング）は、ＦＲＰ成形体等の加工に適したものとなる。さらに、上述した利点を有する表面処理剤塗布方法は、吸水性部材と少なくとも一部のストランドとを接触させるという簡単な工程で実現することができ、表面処理剤塗布方法を実施する際のコスト削減及び当該塗布方法を用いた製品の製造コスト削減を図ることができる。
【００２８】
したがって、本構成の表面処理剤塗布方法は、簡単な工程で、ストランドのローラ等への巻き込みによる作業効率の低下を防止することができ、ストランドに所定量の表面処理剤を均一に塗布することができる。
【００２９】
上記課題を解決するための本発明に係るガラスロービングの特徴構成は、
少なくとも一部の表面に前記表面処理剤を塗布した複数のストランドを合糸してなることにある。
【００３０】
本構成のガラスロービングによれば、当該ガラスロービングを構成する複数のストランドは、ストランドの表面の少なくとも一部に所定量の表面処理剤が均一に塗布されたものとなる。従って、過剰の表面処理剤が塗布されることがないので、ストランド本来の特性が生かされたガラスロービングを実現することができる。表面処理剤が適量塗布されたガラスロービングは、ＦＲＰ成形体等の加工に適したものとなる。
【００３１】
上記課題を解決するための本発明に係るガラスロービングの特徴構成は、
少なくとも一部の表面に前記表面処理剤を塗布したストランドと、
前記表面処理剤を塗布していないストランドと、
を合糸してなることにある。
【００３２】
本構成のガラスロービングによれば、当該ガラスロービングを構成する複数のストランドは、少なくとも一部の表面に表面処理剤を塗布したストランドと、表面処理剤を塗布していないストランドとを合糸したものであるため、表面処理剤の塗布量（使用量）を適量に調整することができる。従って、過剰の表面処理剤が塗布されることがないので、ストランド本来の特性が生かされたガラスロービングを実現することができる。表面処理剤が適量塗布されたガラスロービングは、ＦＲＰ成形体等の加工に適したものとなる。
【００３３】
本発明に係るガラスロービングにおいて、
前記表面処理剤を塗布したストランドを５〜５０％含有することが好ましい。
【００３４】
本構成のガラスロービングによれば、表面処理剤を塗布したストランドを５〜５０％含有することにより、ストランド本来の特性が生かされ、低コストで且つ高品質なＦＲＰ成形体等の加工に適したガラスロービングを実現することができる。
【図面の簡単な説明】
【００３５】
【図１】図１は、本発明の第一実施形態に係る表面処理剤塗布装置を備えたロービング製造装置の全体の概略構成図である。
【図２】図２は、本発明の第一実施形態に係る表面処理剤塗布装置の概略斜視図である。
【図３】図３は、本発明の第一実施形態に係る表面処理剤塗布装置の断面図であり、（ａ）は糸条走行方向に直交する方向視における断面図（図２のＡ−Ａ位置）であり、（ｂ）は糸条走行方向視における断面図（図２のＢ−Ｂ位置）である。
【図４】図４は、本発明の第一実施形態に係る表面処理剤塗布装置の吸水性部材の糸条に対する位置をずらした場合の断面図であり、（ａ）は糸条走行方向に直交する方向視における吸水性部材の位置をずらした図（図２のＡ−Ａ位置）であり、（ｂ）は糸条走行方向視における吸水性部材の位置をずらした図（図２のＢ−Ｂ位置）である。
【図５】図５は、本発明の第二実施形態に係る表面処理剤塗布装置を備えたロービング製造装置の全体の概略構成図である。
【図６】図６は、ロービング製造装置で製造した本発明のガラスロービングの断面図である。
【図７】図７は、別実施形態に係る表面処理剤塗布装置を示す概略図である。
【発明を実施するための形態】
【００３６】
図１〜図７に基づいて本発明に係る表面処理剤塗布装置及び表面処理剤塗布方法、並びにガラスロービングに関する実施形態を説明する。ただし、本発明は、以下に説明する実施形態や図面に記載される構成に限定されることを意図しない。なお、本明細書中に記載される「ストランド」とは、ガラス繊維モノフィラメントを数十本から数千本集束して形成したガラス繊維束であり、本明細書中に記載される「糸条」とは、複数本のガラス繊維束を束ねて合糸したものであり、当該糸条はストランドに含まれるものとする。また、糸条をガラスロービングと同一視する場合がある。
【００３７】
本発明に係る表面処理剤塗布装置は、紡糸工程においてケーキを作製後、当該ケーキから巻き戻したガラス繊維束（以下、「ストランド」と称する。）に撚糸、切断、引揃え等の加工を行う前に表面処理剤を塗布して、ストランドの加工の際に発生する静電気を防ぐための装置である。ここで、以下に複数のケーキから引き出されたストランドが合糸された糸条からなるガラスロービングを製造する装置を例に挙げ、本発明に係る表面処理剤塗布装置について説明する。ガラスロービングに巻き取られた糸条は、顧客先等において切断等の加工処理がおこなわれる場合が多く、ガラスロービングの加工時に静電気が発生しないように表面処理剤を塗布する必要がある。
【００３８】
＜ロービング製造装置＞
図１は、本発明の第一実施形態に係る表面処理剤塗布装置１００を備えたロービング製造装置２００の全体の概略構成図である。図１に示すように、ロービング製造装置２００は、複数のストランドを合糸してなる糸条Ｇを巻き取ってガラスロービングを製造する装置であり、ケーキ支持装置１０に支持された４つのケーキ１１、１２、１３、及び１４からストランド１１ａ、１２ａ、１３ａ、及び１４ａを夫々引き出して赤外線センサー２１、２２、２３、及び２４によってストランドの糸切れの検査が行われた後、それらを合流部Ｘで束ねて合糸した糸条Ｇが作製される。ストランド１１ａ、１２ａ、１３ａ、及び１４ａが合糸された糸条Ｇは、表面処理剤塗布装置１００にて表面処理剤が塗布され、巻取装置３０によって回転コレット３１に巻き取るように構成されている。表面処理剤塗布装置１００の詳細を以下に記す。
【００３９】
＜表面処理剤塗布装置＞
図２は、本発明の第一実施形態に係る表面処理剤塗布装置１００の概略斜視図である。図２では、補助タンク５は省略してある。図２に示されるように、表面処理剤塗布装置１００は、表面処理剤Ｓを入れる容器１と、容器１に入れられた表面処理剤Ｓに浸される吸水性部材２と、吸水性部材２を支える円筒状又は棒状の支持部材３とを備えている。支持部材３は、その軸心が糸条Ｇの走行方向と直交するように容器１の内部の上部に配設されている。吸水性部材２は、糸条Ｇの走行方向に直交する方向視で逆Ｕ字状となるように支持部材３に被せられる。吸水性部材２は、支持部材３を中心に下方に垂れ下るように一対の脚部２ａを有し、両脚部２ａが容器１内の表面処理剤Ｓに浸漬される。これにより、表面処理剤Ｓは、吸水性部材２の両脚部２ａから毛細管現象により吸い上げられ逆Ｕ字状の頂部２ｂに供給される。糸条Ｇは、吸水性部材２の頂部２ｂと接触し、吸水性部材２から浸み出した表面処理剤Ｓが糸条Ｇの表面に塗布される。また、例えば吸水性部材２の両脚部２ａのうちの一方の脚部２ａが液面から離れたり損傷したりする等して、吸水性部材２の一方の脚部２ａに表面処理剤Ｓが供給されなくなったとしても、吸水性部材２の他方の脚部２ａから表面処理剤Ｓを吸水性部材２の頂部２ｂに確実に供給することができる。なお、本発明でいう「塗布」とは、糸条Ｇを構成するストランドの表面を濡らすことであり、糸条Ｇの表面に表面処理剤Ｓが塗られることの他、糸条Ｇの表面に塗られた表面処理剤Ｓが糸条Ｇの表面部に浸み込むことや、糸条Ｇの表面に塗られた表面処理剤Ｓが糸条Ｇの中心部に浸み込むことなど、広義に含むものである。
【００４０】
図２に示されるように、第一実施形態では、糸条Ｇを吸水性部材２に押し付けるための一対の押し付け手段４が設けられている。一対の押し付け手段４は、容器１の糸条Ｇの走行方向の両端に対向するように取り付けられている。糸条Ｇは、一方の押し付け手段４の上方のリング状部分に通され、次いで吸水性部材２の頂部２ｂに形成された上向きに凸の湾曲面２Ａに接触し、他方の押し付け手段４の上方のリング状部分に通されるように構成されている。一対の押し付け手段４は、吸水性部材２の頂部２ｂの上端部より下方となるように配置されている。これにより、糸条Ｇに張力が作用すると、その張力により糸条Ｇが吸水性部材２の頂部２ｂに押し付けられ、糸条Ｇが吸水性部材２と確実に接触することになる。また、押し付け手段４はストランドを吸水性部材２にガイドするためのガイド手段としても機能している。これにより、ストランドの走行方向がずれて、ストランドが吸水部材２と接触しなくなることを防ぐことができる。
【００４１】
図３は、本発明の第一実施形態に係る表面処理剤塗布装置１００の断面図であり、（ａ）は糸条走行方向に直交する方向視における断面図（図２のＡ−Ａ位置）であり、（ｂ）は糸条走行方向視における断面図（図２のＢ−Ｂ位置）である。表面処理剤塗布装置１００は、図３に示されるように、容器１内に表面処理剤Ｓを補給するとともに容器１内の表面処理剤Ｓを一定量に維持するための補助タンク５が設けられている。これにより、容器１内の表面処理剤Ｓの液面を一定にすることができるため、表面処理剤Ｓに浸漬している吸水性部材２の両脚部２ａの長さ及び表面積を一定にすることができ、糸条Ｇと接触する吸水性部材２の頂部２ｂに供給される表面処理剤Ｓの量を一定にすることができる。吸水性部材２を支える支持部材３は、糸条Ｇの走行方向に直交するように軸心３ａが設けられている。例えば物干し竿に布団を掛けるように帯状の吸水性部材２が支持部材３に上方から被せられて、糸条Ｇの走行方向に直交する方向視で吸水性部材２が逆Ｕ字状となる。支持部材３を中心に容器１内に垂れ下った吸水性部材２の両脚部２ａは、容器１の表面処理剤Ｓの液面に浸されている。糸条Ｇは、吸水性部材２の上方箇所を走行し、吸水性部材２の頂部２ｂと接触している。糸条Ｇは、押し付け手段４により吸水性部材２の頂部２ｂに押し付けられているため、吸水性部材２の湾曲面２Ａと密着した状態となっている。
【００４２】
吸水性部材２と糸条Ｇとの接触面の形状は、支持部材３の形状及び太さを変えることなどにより、適宜選択可能である。例えば、支持部材３を三角柱の形状にすることにより、水平方向視で吸水性部材２を逆Ｖ字状に形成して、接触面を上向きに凸の屈曲面に形成することができる。吸水性部材２の逆Ｖ字状の頂部２ｂと糸条Ｇとを接触させることにより、吸水性部材２と糸条Ｇとの接触面を更に小さくすることができる。吸水性部材２と糸条Ｇとの接触面は、吸水性部材２の形状が糸条Ｇ側に凸となる形状であれば、何れの形状でもよく、糸条Ｇの形状や太さにより適宜選択可能であるが、好ましくは湾曲面及び屈曲面である。
【００４３】
図４は、本発明の第一実施形態に係る表面処理剤塗布装置１００の吸水性部材２の糸条Ｇに対する位置をずらした場合の断面図であり、（ａ）は糸条走行方向に直交する方向視における吸水性部材２の位置をずらした図（図２のＡ−Ａ位置）であり、（ｂ）は糸条走行方向視における吸水性部材２の位置をずらした図（図２のＢ−Ｂ位置）である。糸条Ｇは、吸水性部材２と接触しながら走行する。このため、吸水性部材２と糸条Ｇとの間に摩擦が生じ、吸水性部材２の糸条Ｇとの接触面に摩耗が発生する。この摩耗が生じた場合、吸水性部材２から糸条Ｇに所定量の表面処理剤Ｓを確実に塗布することが難しくなる。この場合、吸水性部材２の摩耗部分を糸条Ｇとの接触面から移動させるために、図４（ａ）に示されるように、支持部材３の軸心３ａに被せられた吸水性部材２を、軸心３ａを中心に回転させたり、図４（ｂ）に示されるように、支持部材３に被せた吸水性部材２を、糸条Ｇの走行方向と直交する方向に支持部材３に沿って平行移動させて、吸水性部材２の摩耗部分を糸条Ｇと接触しないようにすることができる。この際、吸水性部材２の両脚部２ａが表面処理剤Ｓに浸されるよう構成する。すなわち、吸水性部材２は、支持部材３の周方向及び支持部材３の軸心３ａ方向に位置変更自在に構成されている。これにより、吸水性部材２に摩耗部分が生じた場合であっても、吸水性部材２を位置変更することで、吸水性部材２を交換せずに長期に亘って使用することが可能となる。なお、吸水性部材２を、支持部材３の周方向のみに位置変更自在に構成してもよく、支持部材３の軸心３ａ方向のみに位置変更自在に構成してもよい。
【００４４】
使用する吸水性部材２としては、表面処理剤Ｓを吸収し、一定量保持できるものであれば、何れの部材を用いてもよいが、好ましくはフェルトである。フェルトは、柔軟性を有するため、走行する糸条Ｇとの接触面において糸条Ｇと密着するように接触することができる。これにより、フェルトは、太さの異なる糸条Ｇであっても、糸条Ｇの表面に均一に表面処理剤Ｓを塗布することができる。
【００４５】
使用するフェルトとしては、プレスフェルト、ニードルフェルト、成型フェルト、織フェルトの何れであってもよいが、好ましくは、織フェルトである。織フェルトは、比較的空隙が多いため、表面処理剤Ｓの吸収性がよく、特に一重織り、又は二重織りの織フェルトが好適に用いられる。フェルトの厚みは、５〜３０ｍｍに形成されることが好ましく、さらに好ましくは１０〜１５ｍｍである。フェルトの厚みが５ｍｍより薄いと、フェルトの柔軟性に乏しくなるとともに、糸条Ｇとの接触面における摩耗により早期に破損する虞がある。フェルトの厚みが３０ｍｍより厚いと、フェルトの含水量が増え、糸条Ｇの太さによっては、過剰な表面処理剤Ｓを糸条Ｇの表面に塗布することがあり、さらにコストアップにもつながる。
【００４６】
表面処理剤Ｓは、静電気を防止するための帯電防止剤を含み、必要に応じて集束剤、結束剤、カップリング剤、潤滑剤、乳化剤、乳化安定剤、ｐＨ調整剤、消泡剤、着色剤、酸化防止剤、防黴剤、あるいは安定剤等を任意に組み合わせて使用することができる。ストランドに対する帯電防止剤の付着量は、０．１〜１．０重量％となるのが好ましい。帯電防止剤の付着量が０．１重量％より少なくなると、帯電防止効果が少なくなり、ストランド加工時に静電気が発生する場合がある。また、表面処理剤Ｓの付着量が１．０重量％より多くなっても、ストランド加工時の帯電防止効果に変わりはなく、さらにコストアップにもつながる。帯電防止剤の種類には、静電気の発生を十分防止できる帯電防止剤であれば何れの帯電防止剤を用いてもよく、特に帯電防止剤の種類に限定されないが、好ましくは、４級アンモニウム塩であり、さらに好ましくはジエチルサルフェート系の４級アンモニウム塩である。
【００４７】
第一実施形態では、４つのケーキ１１、１２、１３、及び１４の全てのストランド１１ａ、１２ａ、１３ａ、及び１４ａに本発明の表面処理剤塗布装置１００を用いて表面処理剤Ｓの塗布を行った例を示したが、一部のケーキのストランドを表面処理剤塗布装置１００の下流側で合糸し、残りのストランドについて表面処理剤Ｓを塗布するようにしてもよい。この場合、塗布対象となる残りのストランドに表面処理剤Ｓが均一に塗布されていれば、一部のケーキのストランドに表面処理剤Ｓが塗布されていなくとも、ガラスロービングの加工時の静電気の発生を防止することができる。ガラスロービングを構成する複数のストランドのうち、一部のストランドに表面処理剤Ｓを塗布する表面処理剤塗布装置１００の構成例を、第二実施形態として以下に説明する。
【００４８】
図５は、本発明の第二実施形態に係る表面処理剤塗布装置１００を備えたロービング製造装置２００の全体の概略構成図である。図５に示すように、ロービング製造装置２００は、複数のストランドを合糸してなる糸条Ｇ´を巻き取ってガラスロービングを製造する装置である。ケーキ支持装置１０に支持された４つのケーキ１１、１２、１３、及び１４のうち、３つのケーキ１２、１３、及び１４からストランド１２ａ、１３ａ、及び１４ａを夫々引き出して赤外線センサー２２、２３、及び２４によってストランドの糸切れの検査が行われた後、それらを表面処理剤塗布装置１００の下流側の合流部Ｘ´で束ねて合糸される。ストランド１２ａ、１３ａ、及び１４ａには、表面処理剤Ｓは塗布されていない。一方、ケーキ１１から引き出されたストランド１１ａは、赤外線センサー２１によってストランドの糸切れの検査が行われた後、表面処理剤塗布装置１００に通されて表面処理剤Ｓが塗布され、合流部Ｘ´でストランド１２ａ、１３ａ、及び１４ａと合糸される。ストランド１１ａ、１２ａ、１３ａ、及び１４ａを合糸してなる糸条Ｇ´は、巻取装置３０によって回転コレット３１に巻き取られる。
【００４９】
第一実施形態に係る表面処理剤塗布装置１００を備えたロービング製造装置２００、及び第二実施形態に係る表面処理剤塗布装置１００を備えたロービング製造装置２００を使用してガラスロービングを製造すると、当該ガラスロービング（糸条）に対する表面処理剤Ｓの塗布量（使用量）を適量に調整することができる。図６は、ロービング製造装置２００で製造した本発明のガラスロービング（糸条）の断面図である。図６（ａ）〜（ｄ）は、第一実施形態に係る表面処理剤塗布装置１００を備えたロービング製造装置２００によって製造したガラスロービング（糸条Ｇ）の断面図である。図６（ｅ）〜（ｈ）は、第二実施形態に係る表面処理剤塗布装置１００を備えたロービング製造装置２００によって製造したガラスロービング（糸条Ｇ´）の断面図である。これらの図において、ガラスロービングＧ又はＧ´を構成するストランド１１ａ〜１４ａのうち、ハッチングを付した部分は、表面処理剤Ｓを表している。従って、全体にハッチングが付されているストランドは、ストランドの表面全体に表面処理剤Ｓが塗布されたものであり、一部にハッチングが付されているストランドは、ストランドの表面の一部に表面処理剤Ｓが塗布されたものである。
【００５０】
第一実施形態では、ケーキ支持装置１０に支持する４つのケーキ１１〜１４から引き出したストランド１１ａ〜１４ａのすべてを表面処理剤塗布装置１００に通しているため、すべてのストランド１１ａ〜１４ａの表面に表面処理剤Ｓを塗布することが可能である。ガラスロービングＧと吸水性部材２との接触圧を十分に大きくすると、ガラスロービングＧを構成するすべてのストランド１１ａ〜１４ａの表面全体に表面処理剤Ｓが行き渡り、その結果、図６（ａ）のように、ガラスロービングＧの表面全体に表面処置剤Ｓが塗布される。第一実施形態においては、ガラスロービングＧと吸水性部材２との接触圧を調整することで、ストランドの表面への表面処理剤Ｓの塗布量を調整することができる。ガラスロービングＧと吸水性部材２との接触圧は、図２に示した一対の押し付け手段４において、リング状部分の位置を変更することにより調整可能である。例えば、押し付け手段４のリング状部分を上方に突出させると、ガラスロービングＧに作用する張力が弱まるため、ガラスロービングＧと吸水性部材２との接触圧が小さくなる。図６（ｂ）〜（ｄ）は、その記載順に、ガラスロービングＧと吸水性部材２との接触圧を徐々に小さくしたものであり、その結果、ストランド表面への表面処理剤Ｓの塗布量が低減されたものとなっている。ガラスロービングＧを構成するストランド１１ａ〜１４ａのうち、一部のストランドの表面への表面処理剤Ｓの塗布量が低減されても、ガラスロービングＧ全体として適量の表面処理剤Ｓが塗布されていれば、表面処理剤Ｓの効果を得ることは十分に可能である。
【００５１】
第二実施形態では、ケーキ支持装置１０に支持する４つのケーキ１１〜１４のうち、ケーキ１１から引き出したストランド１１ａのみを表面処理剤塗布装置１００に通しているため、ストランド１１ａの表面に表面処理剤Ｓを塗布することが可能である。ストランド１１ａと吸水性部材２との接触圧を十分に大きくすると、ストランド１１ａの表面全体に表面処理剤Ｓが塗布され、その結果、図６（ｅ）のように、表面処理剤Ｓが塗布されたストランド１１ａと、表面処理剤Ｓが塗布されていないストランド１２ａ〜１４ａとが合糸されたガラスロービングＧ´が得られる。第二実施形態においても、ストランド１１ａと吸水性部材２との接触圧を調整することで、ストランド１１ａの表面への表面処理剤Ｓの塗布量を調整することができる。図６（ｆ）は、ストランド１１ａと吸水性部材２との接触圧を小さくしたものであり、その結果、ストランド１１ａの表面への表面処理剤Ｓの塗布量が低減されたものとなっている。ストランドの表面への表面処理剤Ｓの塗布量が低減されても、ガラスロービングＧ´全体として適量の表面処理剤Ｓが塗布されていれば、表面処理剤Ｓの効果を得ることは十分に可能である。
【００５２】
また、第二実施形態では、ガラスロービングＧ´中の表面処置剤Ｓが塗布されたストランド１１ａの位置を任意に設定することが可能となる。例えば、図６（ｇ）及び（ｈ）に示すガラスロービングＧ´は、図６（ｅ）及び（ｆ）に示すガラスロービングＧ´と表面処理剤Ｓの塗布量は夫々略同等であるが、図６（ｇ）及び（ｈ）では、表面処置剤Ｓが塗布されたストランド１１ａがガラスロービングＧ´の上部に配置されたものとなる。このようなガラスロービングＧ´は、図５に示したロービング製造装置２００の合流部Ｘ´において、表面処理剤塗布装置１００を通して表面処理剤Ｓが塗布されたストランド１１ａと、表面処理剤Ｓが塗布されていないストランド１２ａ〜１４ａとを合糸するとき、表面処理剤Ｓが塗布されたストランド１１ａがガラスロービングＧ´の上部に位置し、表面処理剤Ｓが塗布されていないストランド１２ａ〜１４ａがガラスロービングＧ´の側部及び下部に位置するように、各ストランド１１ａ〜１４ａの進行経路を設定することによって達成される。ガラスロービングＧ´中における各ストランド１１ａ〜１４ａの位置を最適化することで、表面処理剤Ｓが良好な状態で適量に塗布されたガラスロービングＧ´を得ることが可能となる。
【００５３】
ガラスロービングＧ又はＧ´は、使用目的や用途によって使い分けることができる。例えば、ＦＲＰ成形体等の原料としてガラスロービングを使用する場合、表面処理剤Ｓを塗布したストランドを５〜５０％含有するガラスロービングが好適に使用される。この場合、ガラスロービングは、表面処理剤Ｓの効果を得ながら、ガラスロービングを構成するストランド本来の特性が生かされるため、ＦＲＰ成形体等の加工品の性能に影響することなく、安定した製品を製造することができる。また、一部のストランドのみに表面処理剤Ｓを塗布することで、ガラスロービングの製造時における表面処理剤Ｓの使用量を低減できるため、最終製品のコスト低減にも寄与し得るものとなる。
【００５４】
ガラスロービングＧ´中の表面処理剤Ｓを塗布したストランドの割合は、表面処理剤塗布装置１００を通すストランドと、表面処理剤塗布装置１００を通さないストランドとの比率を変更することによって調整可能である。例えば、上記第二実施形態で説明したロービング製造装置２００では、ケーキ支持装置１０に支持する４つのケーキのうち、１つのケーキから引き出したストランドを表面処理剤塗布装置１００に通し、他の３つのケーキから引き出したストランドについては表面処理剤塗布装置１００を通さないように、ストランドの進行経路を設定しているが、この場合、ガラスロービング中の表面処理剤Ｓを塗布したストランドの割合は計算上２５％となる。ケーキ支持装置１０に支持するケーキの数は変更可能である。例えば、ケーキ支持装置１０に２０個のケーキを配置し、そのうち１つのケーキから引き出されるストランドを表面処理剤塗布装置１００に通し、他の１９個のケーキから引き出されるストランドについては表面処理剤塗布装置１００を通さないように、ストランドの進行経路を設定すると、ガラスロービング中の表面処理剤Ｓを塗布したストランドの割合は計算上５％となる。
【００５５】
上記の第一実施形態及び第二実施形態では、ストランド作製後でストランド加工前に本発明の表面処理剤塗布装置１００を用いて表面処理剤Ｓの塗布を行った例を示したが、上述した紡糸工程において直径数μｍ〜数十μｍのガラス繊維モノフィラメントに集束剤として水系の表面処理剤Ｓを塗布して数十本から数千本のガラス繊維束（ストランド）として集束したものをケーキとして加工する際に本発明に係る表面処理剤塗布装置１００を用いてもよい。
【００５６】
＜別実施形態＞
（１）上記実施形態では、吸水性部材２を支持部材３に被せて支持させ、その両脚部２ａを表面処理剤Ｓに浸すよう構成しているが、吸水性部材２の形状や構造並びに吸水性部材２を容器１側に支持させる構造として異なる構造を採用してもよい。具体的には、例えば、図７（ａ）に示すように、水平方向視でＩ字状の吸水性部材２を支持部材３に被せず一対の支持部材３で挟みこんで容器１に固定するように構成し、吸水性部材２の下部を表面処理剤Ｓに浸し、吸水性部材２の上部の湾曲面２Ａを糸条Ｇと接触させるように構成してもよい。この場合、吸水性部材２を一対の支持部材３に対して上下方向に位置変更可能に構成することで、糸条Ｇへの表面処理剤Ｓの塗布量を変更することが可能となる。
【００５７】
（２）上記実施形態では、糸条Ｇに対して下側に吸水性部材２や容器１等を配置しているが、糸条Ｇに対して異なる位置に吸水性部材２や容器１等を配置してもよい。具体的には、例えば、図７（ｂ）に示すように、表面処理剤Ｓを入れた容器１を糸条Ｇの上方に配置し、吸水性部材２の上部の両脚部２ａに容器１の下部から表面処理剤Ｓを供給するように構成し、吸水性部材２の下部に形成される下向きに凸の湾曲面２Ａに糸条Ｇを接触させるように構成してもよい。尚、図示しないが、糸条走行方向視で糸条Ｇの左又は右に吸水性部材２を配置してもよく、この場合、糸条Ｇの左又は右から吸水性部材２の湾曲面２Ａを接触させればよい。
【００５８】
（３）上記実施形態では、糸条走行方向に直交する方向視において吸水性部材２が逆Ｕ字状となるように形成されているが、図７（ｃ）に示すように、糸条走行方向視において吸水性部材２が逆Ｕ字状となるように形成し、糸条Ｇが吸水性部材２の頂部２ｂに沿って接触するように構成してもよい。この場合、帯状の吸水性部材２が糸条走行方向視で逆Ｕ字状となるように支持部材３に被せられる。なお、図７（ｄ）は図７（ｃ）の側面図であり、図７（ｄ）に示すように、吸水性部材２の上部に糸条走行方向に湾曲する湾曲面２Ａ´を形成してもよい。このように、糸条走行方向視において吸水性部材２が逆Ｕ字状となるように形成した場合であっても、上記実施形態と同様に、表面処理剤Ｓを吸水性部材２の頂部２ｂに確実に供給することができる。
【００５９】
（４）上記実施形態では、糸条Ｇを吸水性部材２に押し付けるように押し付け手段４を構成した例を示したが、これとは逆に吸水性部材２を糸条Ｇに押し付けるように押し付け手段４を構成してもよい。具体的には、例えばバネ等の弾性部材やアクチュエータ等を介して支持部材３を容器１に支持し、弾性部材の弾性力やアクチュエータの作動力によって支持部材３に被せられた吸水性部材２を糸条Ｇに押し付けるように押し付け手段４を構成してもよい。
【産業上の利用可能性】
【００６０】
本発明に係る表面処理剤塗布装置及び表面処理剤塗布方法は、プリント配線板、ガラス繊維強化プラスチック（ＦＲＰ、ＦＲＴＰ）等の工業製品の原材料として使用されるガラス繊維をガラスロービング等の形態に加工する製造工程において、利用可能である。また、本発明に係るガラスロービングは、上記工業製品の原材料として利用可能である。
【符号の説明】
【００６１】
１      容器
２      吸水性部材
２ａ    脚部
２ｂ    頂部
４      押し付け手段
１００  表面処理剤塗布装置
Ｇ      糸条（ガラスロービング）
Ｇ´    糸条（ガラスロービング）
Ｓ      表面処理剤
【図１】
2014058436.tif 000003
【図２】
2014058436.tif 000004
【図３】
2014058436.tif 000005
【図４】
2014058436.tif 000006
【図５】
2014058436.tif 000007
【図６】
2014058436.tif 000008
【図７】
2014058436.tif 000009